(57)【要約】【課題】  発呼動作を制御可能なファクシミリ機能を有する画像形成装置を提供する。【解決手段】  電話番号がテンキーから入力されていた場合は（ステップＳ２０２／ＹＥＳ）、システム制御部１はテンキーからの電話番号の入力が禁止されているか否かを判断する（ステップＳ２０３）。テンキーから電話番号の入力が禁止されている場合は（ステップＳ２０３／ＹＥＳ）、入力された電話番号の受付を拒否する（ステップＳ２０４）。それと同時に、テンキーからの電話番号の入力が禁止されている旨を液晶タッチパネルに表示する（ステップＳ２０５）。よって、テンキーからの電話番号の入力を禁止することにより、オペレータ等によるテンキーの誤操作によって誤った相手先にＦＡＸが送信されることを防止できる。【選択図】  図１
2006246190.tif 000002
【特許請求の範囲】
【請求項１】
文字や画像を静止画像として送信できる画像形成装置において、
前記静止画像の送信先のダイヤル番号を直接入力する第１の入力手段と、
前記第１の入力手段による前記ダイヤル番号の直接入力を禁止する禁止手段とを有することを特徴とする画像形成装置。
【請求項２】
前記第１の入力手段による前記ダイヤル番号の直接入力を禁止するか否かを設定する設定手段を有することを特徴とする請求項１記載の画像形成装置。
【請求項３】
前記第１の入力手段による前記ダイヤル番号の直接入力が前記禁止手段によって禁止されたとき、前記第１の入力手段による前記ダイヤル番号の直接入力が禁止されている旨を表示する第１の表示手段を有することを特徴とする請求項１又は２記載の画像形成装置。
【請求項４】
前記第１の入力手段による前記ダイヤル番号の直接入力が前記禁止手段によって禁止されたとき、警告音を発する警告手段を有することを特徴とする請求項１から３のいずれか１項記載の画像形成装置。
【請求項５】
前記第１の入力手段による前記ダイヤル番号の直接入力が前記禁止手段によって禁止されたとき、前記第１の入力手段による前記ダイヤル番号の直接入力の禁止を解除する解除手段を有することを特徴とする請求項１から４のいずれか１項記載の画像形成装置。
【請求項６】
前記第１の入力手段による前記ダイヤル番号の直接入力が前記禁止手段によって禁止されたとき、前記第１の入力手段による前記ダイヤル番号の直接入力の禁止を前記解除手段によって解除するか否かの選択を要求する第２の表示手段を有することを特徴とする請求項５記載の画像形成装置。
【請求項７】
前記第１の入力手段による前記ダイヤル番号の直接入力を禁止するか否かの前記設定手段による設定を格納する格納手段と、
前記第１の入力手段による前記ダイヤル番号の直接入力の禁止が前記解除手段によって解除されたとき、前記格納手段に格納された前記設定を更新するか否かを選択する選択手段と、
前記選択手段によって前記設定の更新が選択されたとき、前記設定を前記第１の入力手段による前記ダイヤル番号の直接入力を許可する設定に更新する更新手段とを有することを特徴とする請求項５記載の画像形成装置。
【請求項８】
前記第１の入力手段による前記ダイヤル番号の直接入力の禁止が前記解除手段によって解除されたとき、前記設定を更新するか否かの前記選択手段による選択を要求する第３の表示手段を有することを特徴とする請求項７記載の画像形成装置。
【請求項９】
前記静止画像の送信先の前記ダイヤル番号を記憶する記憶手段と、
前記記憶手段に記憶された前記ダイヤル番号を送信先の前記ダイヤル番号として入力する第２の入力手段とを有することを特徴とする請求項１から８のいずれか１項記載の画像形成装置。
【請求項１０】
前記第１の入力手段による前記ダイヤル番号の直接入力の禁止が前記解除手段によって解除されなかったとき、前記第１の入力手段による前記ダイヤル番号の直接入力が禁止されている旨を表示する第１の表示手段を有することを特徴とする請求項５から９のいずれか１項記載の画像形成装置。
【請求項１１】
前記第１の入力手段による前記ダイヤル番号の直接入力の禁止が前記解除手段によって解除されなかったとき、警告音を発する警告手段を有することを特徴とする請求項５から１０のいずれか１項記載の画像形成装置。
【発明の詳細な説明】
【技術分野】
【０００１】
本発明は、発呼動作を制御可能なファクシミリ装置や、発呼動作を制御可能なファクシミリ機能を有する複写機等の画像形成装置に関する。
【背景技術】
【０００２】
従来、ファクシミリ機能を有するデジタル複合機による原稿の送信は、送信される原稿が操作者により送信用原稿台にセットされ、送信先のファックス番号がテンキーで入力された後、送信スタートキーが押されることで実行されていた。このデジタル複合機では、頻繁に原稿を送信する相手先がある場合、送信する度に送信先のファックス番号をテンキーから入力しなければならず、操作者にとっては手間がかかり、また入力ミスによる、送信ミスが発生していた。
【０００３】
この問題を解決する手段として、デジタル複写機にファックス番号記憶部が搭載され、頻繁に送信する相手先のファックス番号を予めファックス番号記憶部に登録しておき、原稿を送信する際にはワンタッチキー又は短縮ダイヤルにより原稿送信動作が実行されるデジタル複写機が提案されていた。
【０００４】
特許文献１では、ファクシミリ装置から直接、又はファクシミリ装置を介した電話機から発呼する際に、全体制御部が利用者により指定された発呼先ダイヤル番号を認識し、ファクシミリ装置の導入先の運用実態にあわせて予めメモリに登録されている発呼先制限情報と比較することにより、特定地域への発呼、及び通信サービスへの接続を禁止又は許可するファクシミリ装置が提案されている。
【０００５】
特許文献２では、発呼動作を許可するための特定情報を入力する特定情報入力手段と、常に発呼を許可する特定ダイヤルを入力する特定ダイヤル入力手段と、発呼動作禁止状態においても発呼を許可する電話番号へのダイヤルが選択された場合に発呼を行う発呼制御手段とを有するファクシミリ装置が提案されている。
【０００６】
特許文献３では、発呼時に指定された相手先の電話番号が管理テーブルに記憶されているか否か判断し、指定された相手先の電話番号が管理テーブルに記憶されていると判断された場合には発呼を禁止することにより、「いたずら電話」、「無言電話」、「商品の勧誘」等の迷惑電話を行う相手先に対してはその発呼を禁止し、回線が無駄な着呼により占有されることを防止することができる通信端末装置が提案されている。
【特許文献１】特開平７−１８４０２２号公報
【特許文献２】特開平７−２６４３８０号公報
【特許文献３】特許第３５７３８４０号公報
【発明の開示】
【発明が解決しようとする課題】
【０００７】
しかし、上記の発明は以下の問題を有している。
【０００８】
特許文献１記載のファクシミリ装置は、利用者により指定された発呼先ダイヤル番号と予め登録されている発呼先制限情報とを比較することにより、特定地域への発呼、及び通信サービスへの接続を禁止又は許可するものであり、テンキーからの番号入力を制限することはできない。
【０００９】
また、特許文献２記載のファクシミリ装置は、発呼動作禁止状態においても、予め設定された特定ダイヤルについては、発呼を許可するものであり、テンキーからの番号入力を制限することはできない。
【００１０】
また、特許文献３記載のファクシミリ装置は、発呼時に指定された相手先の電話番号が管理テーブルに記憶されているか否か判断し、相手先への発呼を制限することにより、「いたずら電話」、「無言電話」、「商品の勧誘」等の迷惑電話は防止できるが、テンキーからの番号入力による誤操作を防止することはできない。
【００１１】
そこで、本発明は、ＦＡＸを送信するときの電話番号の入力を予め登録されている電話番号からの選択による入力に限定し、かつテンキーからの電話番号の入力を禁止することにより、オペレータ等によるテンキーの誤操作によって誤った相手先にＦＡＸが送信されることを防止できる画像形成装置を提案することを目的としている。
【課題を解決するための手段】
【００１２】
請求項１記載の発明は、文字や画像を静止画像として送信できる画像形成装置において、前記静止画像の送信先のダイヤル番号を直接入力する第１の入力手段と、前記第１の入力手段による前記ダイヤル番号の直接入力を禁止する禁止手段とを有することを特徴とする。
【００１３】
請求項２記載の発明は、請求項１記載の画像形成装置において、前記第１の入力手段による前記ダイヤル番号の直接入力を禁止するか否かを設定する設定手段を有することを特徴とする。
【００１４】
請求項３記載の発明は、請求項１又は２記載の画像形成装置において、前記禁止手段によって前記第１の入力手段による前記ダイヤル番号の直接入力が禁止されたとき、前記第１の入力手段による前記ダイヤル番号の直接入力が禁止されている旨を表示する第１の表示手段を有することを特徴とする。
【００１５】
請求項４記載の発明は、請求項１から３のいずれか１項記載の画像形成装置において、前記禁止手段によって前記第１の入力手段による前記ダイヤル番号の直接入力が禁止されたとき、警告音を発する警告手段を有することを特徴とする。
【００１６】
請求項５記載の発明は、請求項１から４のいずれか１項記載の画像形成装置において、前記禁止手段によって前記第１の入力手段による前記ダイヤル番号の直接入力が禁止されたとき、前記第１の入力手段による前記ダイヤル番号の直接入力の禁止を解除する解除手段を有することを特徴とする。
【００１７】
請求項６記載の発明は、請求項５記載の画像形成装置において、前記禁止手段によって前記第１の入力手段による前記ダイヤル番号の直接入力が禁止されたとき、前記解除手段による前記第１の入力手段による前記ダイヤル番号の直接入力の禁止を解除するか否かの選択を要求する第２の表示手段を有することを特徴とする。
【００１８】
請求項７記載の発明は、請求項５記載の画像形成装置において、前記設定手段による前記第１の入力手段による前記ダイヤル番号の直接入力を禁止するか否かの設定を格納する格納手段と、前記解除手段によって前記第１の入力手段による前記ダイヤル番号の直接入力の禁止が解除されたとき、前記格納手段に格納された前記設定を更新するか否かを選択する選択手段と、前記選択手段によって前記設定の更新が選択されたとき、前記設定を前記第１の入力手段による前記ダイヤル番号の直接入力を許可する設定に更新する更新手段とを有することを特徴とする。
【００１９】
請求項８記載の発明は、請求項７記載の画像形成装置において、前記解除手段によって前記第１の入力手段による前記ダイヤル番号の直接入力の禁止が解除されたとき、前記選択手段による前記設定を更新するか否かの選択を要求する第３の表示手段を有することを特徴とする。
【００２０】
請求項９記載の発明は、請求項１から８のいずれか１項記載の画像形成装置において、前記静止画像の送信先の前記ダイヤル番号を記憶する記憶手段と、前記記憶手段に記憶された前記ダイヤル番号を送信先の前記ダイヤル番号として入力する第２の入力手段とを有することを特徴とする。
【００２１】
請求項１０記載の発明は、請求項５から９のいずれか１項記載の画像形成装置において、前記解除手段によって前記第１の入力手段による前記ダイヤル番号の直接入力の禁止が解除されなかったとき、前記第１の入力手段による前記ダイヤル番号の直接入力が禁止されている旨を表示する第１の表示手段を有することを特徴とする。
【００２２】
請求項１１記載の発明は、請求項５から１０のいずれか１項記載の画像形成装置において、前記解除手段によって前記第１の入力手段による前記ダイヤル番号の直接入力の禁止が解除されなかったとき、警告音を発する警告手段を有することを特徴とする。
【発明の効果】
【００２３】
本発明は、ＦＡＸを送信するときの電話番号の入力を予め登録されている電話番号からの選択による入力に限定し、かつテンキーからの電話番号の入力を禁止することにより、オペレータ等によるテンキーの誤操作によって誤った相手先にＦＡＸが送信されることを防止できる
【発明を実施するための最良の形態】
【００２４】
以下、本発明の一実施形態に係る画像形成装置の構成及び動作について説明する。
【００２５】
図１は、本実施形態に係る画像形成装置のシステム構成を示すブロック図である。
【００２６】
画像形成装置は、システム制御部１、ＲＯＭ２、ＲＡＭ３、操作表示部４、網制御部７、モデム８、符号／復号化部９、画像読取部１０、及び画像記録部１１を有して構成される。
【００２７】
システム制御部１は、ＣＰＵ（Ｃｅｎｔｒａｌ  Ｐｒｏｃｅｓｓｉｎｇ  Ｕｎｉｔ）等からなり、ＲＯＭ２に書き込まれたプログラムにしたがってファクシミリ装置本体を制御する。
【００２８】
ＲＯＭ２には、本実施形態に係るファクシミリ装置の動作を実行するためのプログラム及び操作表示部４の液晶タッチパネルを介して出力する所定のメッセージが記憶されている。
【００２９】
ＲＡＭ３は、送受信される画情報を記憶するための画情報記憶部４と、発呼する相手先の電話番号、テンキーからの電話番号入力の可否を示す情報（以下、テンキー入力情報とする）等を記憶する管理テーブル５とからなるものである。なお、ＲＡＭ３は不揮発性のメモリで構成され、停電等により装置に電源が供給されなくなっても記憶された情報は保持される。
【００３０】
操作表示部６は、スタートキー、テンキー、テンキーからの電話番号入力を禁止す禁止キー、テンキーからの電話番号入力の禁止を解除する解除キー、管理テーブル５に格納されている相手先の電話番号から所望の電話番号を選択する選択キー等のファクシミリ装置を操作するために必要な各種操作キー、及び、各種モードの設定状態及び操作ガイダンス用のメッセージを表示する液晶タッチパネルからなるものである。
【００３１】
なお、液晶タッチパネルは、画像形成装置の状態を示すメッセージなどを表示する。具体的には、テンキーからの番号入力による送信相手先指定を禁止していることを示すメッセージ、テンキーからの番号入力による送信相手先指定を禁止している場合にオペレータがテンキーから電話番号を入力したときに、テンキーからの番号入力による送信相手先指定の禁止を解除するかを促すメッセージを表示する。
【００３２】
網制御部７は、回線Ｌに接続され発呼或いは着呼の際に所定の回線制御を実行するものである。
【００３３】
モデム８は、ファクシミリ通信時に伝送制御の手順信号を送受信すると共に、画情報を変復調して送受信するものである。更に、このモデム６は、相手先から送出されてくる通信拒否を示す拒否信号、通信拒否の解除を示す解除信号を検知すると共に、システム制御部１からの指令によりこれら拒否信号、解除信号を発生して回線Ｌに送出する機能を有する。
【００３４】
符号／復号化部９は、ＭＨ（Ｍｏｄｉｆｉｅｄ  Ｈｏｆｆｕｍａｎ  Ｃｏｄｉｎｇ）等の既知の符号化方式により、画像読取部１０で読み取った画情報を符号化してデータ圧縮する一方、網制御部７を介して受信した画情報を復号化して元の画情報に戻すものである。
【００３５】
画像読取部１０は、原稿の画情報を所定の解像度で読み取るものであり、画像記録部１１は画情報を所定の解像度で記録紙に記録するものである。
【００３６】
以上の構成により、システム制御部１、ＲＯＭ２、ＲＡＭ３、操作表示部６、網制御部７、モデム８、符号／復号化部９、画像読取部１０、画像記録部１１は、バスライン１２を介してデータの送受信を行う。
【００３７】
次に、本実施形態に係る画像形成装置のファクシミリ送信動作について図２を用いて説明する。
【００３８】
まず、操作表示部６から発呼する相手先の電話番号が入力されると（ステップＳ２０１）、システム制御部１は電話番号がテンキーから入力されたか否かを判断する（ステップＳ２０２）。電話番号がテンキーから入力されていた場合は（ステップＳ２０２／ＹＥＳ）、テンキーからの電話番号の入力が禁止されているか否かを判断する（ステップＳ２０３）。テンキーから電話番号の入力が禁止されている場合は（ステップＳ２０３／ＹＥＳ）、入力された電話番号の受付を拒否する（ステップＳ２０４）。それと同時に、テンキーからの電話番号の入力が禁止されている旨を液晶タッチパネルに表示する（ステップＳ２０５）。
【００３９】
一方、電話番号がテンキーからの入力ではなく、管理テーブル５に格納された電話番号からの選択により入力されていた場合は（ステップＳ２０２／ＮＯ）、該電話番号へＦＡＸを送信する（ステップＳ２０６）。
【００４０】
また、テンキーからの電話番号の入力が許可されていた場合は（ステップＳ２０３／ＮＯ）、テンキーから入力された電話番号へＦＡＸを送信する（ステップＳ２０６）。
【００４１】
図２に示すフローチャートによれば、テンキーからの電話番号の入力を禁止することにより、オペレータ等によるテンキーの誤操作によって誤った相手先にＦＡＸが送信されることを防止できる。また、テンキーからの電話番号の入力が禁止されている場合、その旨が液晶タッチパネルに表示され、オペレータ等は迅速にテンキーからの電話番号の入力が禁止されていることを認識できる。なお、テンキーからの電話番号の入力が拒否され、ＦＡＸを送信することができなかった場合、操作表示部６に設けられた解除キーを押下することにより、テンキーからの電話番号の入力を禁止する設定を解除することができる。その際、システム制御部１はテンキーからの電話番号の入力を許可する設定により、管理テーブル５に格納されたテンキー入力情報を更新する。
【００４２】
次に、図３を用いて本実施形態に係る画像形成装置の他のファクシミリ送信動作について説明する。
【００４３】
まず、操作表示部６から発呼する相手先の電話番号が入力されると（ステップＳ３０１）、システム制御部１は電話番号がテンキーから入力されたか否かを判断する（ステップＳ３０２）。電話番号がテンキーから入力されていた場合は（ステップＳ３０２／ＹＥＳ）、テンキーからの電話番号の入力が禁止されているか否かを判断する（ステップＳ３０３）。テンキーから電話番号の入力が禁止されている場合は（ステップＳ３０３／ＹＥＳ）、テンキーからの電話番号の入力が禁止されている旨を液晶タッチパネルに表示する（ステップＳ３０４）。または、警告音を発することによりテンキーからの電話番号の入力が禁止されている旨をオペレータ等に報知する。
【００４４】
テンキーによる電話番号の入力が禁止されている旨が表示・警告されると、テンキーによる電話番号入力の禁止を解除するか否かの選択を待って待機する（ステップＳ３０５）。ここで、ユーザは操作表示部６の液晶タッチパネルを利用してテンキーによる電話番号入力の禁止を解除するか否かを選択する。
【００４５】
そして、テンキーによる電話番号の入力の禁止が解除されると（ステップＳ３０５／ＹＥＳ）、操作表示部６はテンキーによる電話番号の入力禁止の解除が今回のＦＡＸの送信のみであるか否かの選択を待って待機する（ステップＳ３０６）。ここで、オペレータは今回のＦＡＸの送信についてのみテンキーによる電話番号の入力を解除するか否かを操作表示部６の液晶タッチパネルを利用して選択する。
【００４６】
今回のＦＡＸの送信についてのみテンキーによる電話番号の入力を解除する場合は（ステップＳ３０６／ＹＥＳ）、管理テーブル５に格納されたテンキー入力情報を更新せず（ステップＳ３０７）、テンキーから入力された電話番号へＦＡＸを送信する（ステップＳ３０９）。
【００４７】
一方、以降のＦＡＸの送信についてもテンキーによる電話番号の入力を解除する場合は（ステップＳ３０６／ＮＯ）、管理テーブル５の格納されたテンキー入力情報をテンキーからの電話番号の入力を許可する設定に更新し（ステップＳ３０８）、テンキーから入力された電話番号へＦＡＸを送信する（ステップＳ３０９）。
【００４８】
電話番号が管理テーブル５に格納された電話番号の選択によって入力されていた場合は（ステップＳ３０２／ＮＯ）、入力された電話番号へのＦＡＸの送信が実行される（ステップＳ３０９）。
【００４９】
また、テンキーの押下により電話番号が入力され（ステップＳ３０２／ＹＥＳ）、かつテンキーからの電話番号の入力が禁止されていなかった場合は（ステップＳ３０３／ＮＯ）、テンキーから入力された電話番号へのＦＡＸの送信が実行される。
【００５０】
さらに、テンキーによる電話番号の入力の禁止が解除されなかった場合は（ステップＳ３０５／ＮＯ）、入力された電話番号の受付を拒否する（ステップＳ３１０）。それと同時に、テンキーからの電話番号の入力が禁止されている旨が液晶タッチパネルに表示される（ステップＳ３１１）。
【００５１】
上記の構成によれば、テンキーからの電話番号の入力を禁止している場合にテンキーの押下により電話番号が入力された場合に、登録されている番号から送信相手先を選択して指定するか、テンキーからの番号入力による送信相手先指定の禁止を解除するかを促すメッセージを操作パネル上に表示し、オペレータが適宜、所望の方法を選択することにより、テンキーからの電話番号の入力が禁止されても継続してＦＡＸの送信を継続することができる。
【００５２】
また、テンキーからの電話番号の入力が禁止されている場合でも、緊急のときはテンキーからの電話番号の入力を禁止する設定を解除してＦＡＸを送信することができるため、オペレータは状況に応じて、所望の方法によりＦＡＸを送信することができる。
【００５３】
さらに、テンキーからの電話番号の入力を禁止する設定を解除する際に、その後のテンキーからの電話番号の入力を禁止又は解除する設定を選択可能とすることにより、画像形成装置のファクシミリ機能の向上を図ることができる。
【図面の簡単な説明】
【００５４】
【図１】本実施形態に係る画像形成装置のシステム構成を示すブロック図である。
【図２】本実施形態に係る画像形成装置の送信動作を示すフローチャートである。
【図３】本実施形態に係る画像形成装置の送信動作を示すフローチャートである。
【符号の説明】
【００５５】
１    システム制御部
２    ＲＯＭ
３    ＲＡＭ
４    画像情報記憶部
５    管理テーブル
６    操作表示部
７    網制御部
８    モデム
９    符号／復号化部
１０    画像読取部
１１    画像記録部
１２    バスライン
【図１】
2006246190.tif 000003
【図２】
2006246190.tif 000004
【図３】
2006246190.tif 000005